(57)【要約】【課題】複数の処理工程を通じて製造を行う製品に対し、各工程での製品の規格情報や処理工程での装置の設定情報などをまとめた仕様情報一覧を、改訂世代ごとに容易に管理することを特徴とする仕様管理方法および仕様管理システムを提供すること。【解決手段】本発明の仕様管理システムによれば、仕様項目変更登録段階と、世代識別子改訂段階を備えた仕様管理システムと、その情報を記憶する仕様管理データベースと、仕様情報を管理する仕様改訂作業端末と仕様情報を確認する仕様情報確認端末とを備える。【選択図】図１
2008181285.tif 000002
【特許請求の範囲】
【請求項１】
複数の処理工程を通じて製品の製造を行う際に、各工程での製品の規格情報や処理工程での装置の設定情報などの複数の仕様項目を、一つの項目識別子に関連付けておき、さらに複数の項目識別子を、一つの仕様情報一覧としてまとめておく仕様管理方法において、
一つの仕様情報一覧に、少なくとも一つの世代識別子が関連付けられる段階と、
ある仕様項目の変更作業を行う際に、変更後の仕様項目を一意に定める項目識別子を新規に付与する仕様項目変更登録段階と、
前記仕様項目変更登録段階において、変更対象となった仕様項目が関連付けられていた項目識別子が属する全ての仕様情報一覧の、最新の世代識別子の仕様項目が差し替えられ、世代識別子が新たに登録される世代識別子改訂段階と、
を備えることを特徴とする仕様管理方法。
【請求項２】
請求項１に記載の仕様管理方法において、前記仕様項目、前記項目識別子、前記仕様情報一覧および前記世代識別子の情報は、通信ネットワークを介した処理装置によって管理され、また通信ネットワークを介した記憶媒体に記憶されることを特徴とする仕様管理方法。
【請求項３】
請求項１から２に記載の仕様管理方法において、前記項目識別子を検索語として、その項目識別子が属する全ての世代識別子を取得することが可能な仕様管理方法。
【請求項４】
請求項１から３に記載の仕様管理方法において、前記仕様情報一覧を検索語として、その仕様情報一覧に属する全ての世代識別子を取得することが可能な仕様管理方法。
【請求項５】
複数の処理工程を通じて製品の製造を行う際に、各工程での製品の規格情報や処理工程での装置の設定情報などの複数の仕様項目を、一つの項目識別子に関連付けておき、さらに複数の項目識別子を、一つの仕様情報一覧としてまとめておく仕様管理システムにおいて、
一つの仕様情報一覧に、少なくとも一つの世代識別子を関連付ける手段と、
ある仕様項目の変更作業を行う際に、変更後の仕様項目を一意に定める項目識別子を新規に付与する仕様項目変更登録手段と、
前記仕様項目変更登録段階で、変更対象となった仕様項目が関連付けられていた項目識別子が属する全ての仕様情報一覧の、最新の世代識別子の仕様項目を差し替え、世代識別子を新たに登録する世代識別子改訂手段と
を備えることを特徴とする仕様管理システム。
【請求項６】
請求項５に記載の仕様管理システムにおいて、前記仕様項目、前記項目識別子、前記仕様情報一覧および前記世代識別子の情報は、通信ネットワークを介した処理装置によって管理され、また通信ネットワークを介した記憶媒体に記憶されることを特徴とする仕様管理システム。
【請求項７】
請求項５から６に記載の仕様管理システムにおいて、前記項目識別子を検索語として、その項目識別子が属する全ての世代識別子を取得することが可能な仕様管理システム。
【請求項８】
請求項５から７に記載の仕様管理システムにおいて、前記仕様情報一覧を検索語として、その仕様情報一覧に属する全ての世代識別子を取得することが可能な仕様管理システム。
【発明の詳細な説明】
【技術分野】
【０００１】
本発明は、複数の処理工程を通して製品の製造を行う際に、各工程での製品の規格情報や装置の設定情報などを仕様情報として管理し、それら複数の仕様情報をまとめた仕様情報一覧の変更を行った際に、改訂履歴や差分情報の管理作業を容易に行うことを可能とする仕様管理方法及び仕様管理システムに関する。
【背景技術】
【０００２】
従来、製品の管理規格値などの規格情報や、各工程の装置の設定情報などといった仕様情報を、仕様情報一覧としてまとめて管理し、製造作業時に参照可能な形態の保持を行う仕様管理システムが使用されている。（特許文献１参照）
【０００３】
それら仕様情報は品質管理上の要請などから適宜修正が行われ、仕様情報改訂者はその都度に仕様情報の修正及び、その仕様情報が属する全ての仕様情報一覧の改訂作業を行っており、仕様情報の世代管理を行い所望世代の仕様情報を検索可能とし、仕様情報の取得を容易に取得可能な仕様バージョン管理システムも使用されている。（特許文献２参照）
【０００４】
以下に公知文献を示す。
【特許文献１】特開平７−１２９６４４号公報
【特許文献２】特開平９−２６５４１９号公報
【発明の開示】
【発明が解決しようとする課題】
【０００５】
しかしながら、近年多品種小ロット生産が進む中で、仕様情報一覧の管理項目は増大の傾向にあると共に、仕様情報の管理内容も複雑化してきている。そのため、改訂作業者にとっては仕様情報の管理作業や変更作業に多大な労力と時間が必要になっており、また作業ミスの可能性も高くなってきている。
【０００６】
一方、各製造工程の製造作業者は、作業指示を受けた作業に対する仕様情報を確認して、装置条件の設定値や、求められている規格値などの確認をしてから生産作業を行っている。
【０００７】
この為、仕様情報一覧の改訂作業が行われた際に製造作業者の確認不備を防止するためには、改訂前後の仕様情報一覧を比較し、改訂のあった仕様情報の項目及び指示値について、その差分を視覚的に分かりやすく表示するなどの手段を講じることが望ましい。
【０００８】
本発明は上述した課題を解決する為になされたもので、複数の処理工程を通じて製造する製品に対して、各工程での製品規格情報や装置の設定条件などの仕様情報をまとめた仕様情報一覧の内容の登録変更作業を容易に行うことが可能かつ、各世代の仕様情報一覧の登録内容管理を、差分情報を含めて容易に管理することが可能な仕様管理方法および仕様管理システムを提供することを目的とする
【０００９】
また本発明では、仕様情報の改訂がされた際に、改訂された差分情報のみを容易に抽出できる事で、例えばネットワークを介した処理端末などに差分情報を表示させる手法をとることで、仕様情報改訂作業者から製造工程作業者への作業指示改訂情報の伝達漏れをより確実に防止できるものとなる。
【課題を解決するための手段】
【００１０】
上記の目的を達成する為に、本発明では、以下のような手段を講じる。
【００１１】
すなわち、請求項１に記載の発明は、複数の処理工程を通じて製品の製造を行う際に、各工程での製品の規格情報や処理工程での装置の設定情報などの複数の仕様項目を、一つの項目識別子に関連付けておき、さらに複数の項目識別子を、一つの仕様情報一覧としてまとめておく仕様管理方法において、
一つの仕様情報一覧に、少なくとも一つの世代識別子が関連付けられる段階と、
ある仕様項目の変更作業を行う際に、変更後の仕様項目を一意に定める項目識別子を新規に付与する仕様項目変更登録段階と、
前記仕様項目変更登録段階において、変更対象となった仕様項目が関連付けられていた項目識別子が属する全ての仕様情報一覧の、最新の世代識別子の仕様項目が差し替えられ、世代識別子が新たに登録される世代識別子改訂段階と、
を備えることを特徴としている。
【００１２】
本発明によれば、ある仕様項目を改訂した際に、修正された仕様項目が属する世代識別子の改訂を一括で行えるようになることで、仕様情報一覧の改訂作業を効率よく行うことが可能となる。
【００１３】
請求項に記載２の発明は、請求項１に記載の仕様管理方法において、仕様項目、項目識別子、仕様情報一覧および世代識別子の情報は、通信ネットワークに接続している端末での管理作業が行われ、かつ通信ネットワークに接続している記憶媒体に記憶されていることを特徴とする。
【００１４】
請求項に記載３の発明は、上述した仕様管理方法において、ある項目識別子の属する全ての世代識別子を取得することを可能としたものである。
【００１５】
請求項４に記載の発明は、上述した仕様管理方法において、ある仕様情報一覧に属する全ての世代識別子を取得することを可能としたものである。
【００１６】
請求項５に記載の発明は、複数の処理工程を通じて製品の製造を行う際に、各工程での製品の規格情報や処理工程での装置の設定情報などの複数の仕様項目を、一つの項目識別子に関連付けておき、さらに複数の項目識別子を、一つの仕様情報一覧としてまとめておく仕様管理システムにおいて、
一つの仕様情報一覧に、少なくとも一つの世代識別子を関連付ける手段と、
ある仕様項目の変更作業を行う際に、変更後の仕様項目を一意に定める項目識別子を新規に付与する仕様項目変更登録手段と、
前記仕様項目変更登録段階で、変更対象となった仕様項目が関連付けられていた項目識別子が属する全ての仕様情報一覧の、最新の世代識別子の仕様項目を差し替え、世代識別子を新たに登録する世代識別子改訂手段と
を備えることを特徴とする仕様管理システムである。
【００１７】
請求項６に記載の発明は、請求項５に記載の仕様管理システムにおいて、前記仕様項目、前記項目識別子、前記仕様情報一覧および前記世代識別子の情報は、通信ネットワークを介した処理装置によって管理され、また通信ネットワークを介した記憶媒体に記憶されることを特徴とする仕様管理システム
【００１８】
請求項７に記載の発明は、請求項５から６に記載の仕様管理システムにおいて、前記項目識別子を検索語として、その項目識別子が属する全ての世代識別子を取得することが可能な仕様管理システムである。
【００１９】
請求項８に記載の発明は、請求項５から６に記載の仕様管理システムにおいて、前記項目識別子を検索語として、その項目識別子が属する全ての世代識別子を取得することが可能な仕様管理システムである。
【発明の効果】
【００２０】
本発明の仕様管理方法およびシステムによれば、複数の仕様項目を１まとまりに関連付け、そのまとまりを仕様情報一覧の改訂世代ごとに一意に定めた世代識別子によって管理することにより、仕様情報一覧を管理する。
【００２１】
また、仕様項目の改訂がされる際には、個々の仕様項目についての変更を行うとともに、その仕様項目が属する全ての仕様項目一覧に新たに世代識別子を追加設定することにより、改訂前後の仕様項目を世代ごとに管理することができる。
【００２２】
一方、生産工程作業者へは、ある仕様情報一覧に属する世代識別子の情報を比較する事により、仕様改訂項目のみの情報取得を容易にすることが可能になる為、例えば改訂仕様項目部分のみを処理工程端末へ視覚表示するなどして、改訂作業者から生産工程作業者へ意識的な作業伝達方法をとることが可能となり、意思伝達不足による作業ミスや不良製造の進行を防止する事が可能となる。
【発明を実施するための最良の形態】
【００２３】
以下に、本発明を実施するための最良の形態について図面を参照しながら説明する。
【００２４】
図１は、本発明に関わる仕様管理方法を適用した仕様管理システムが適用されるネットワーク構成を示す概念図である。
【００２５】
すなわち、本発明に関わる仕様管理方法を適用した仕様管理システムは、仕様管理データベース１及び演算部２を備えており、たとえばインターネット等の通信ネットワーク１０を介して仕様情報確認端末５及び仕様情報改訂作業端末６が接続されている。
【００２６】
なお、仕様情報確認端末５及び仕様情報改訂作業端末６は図示しないマウスやキーボードなどの入力手段を備えており、またこれらは何れも単数に限定するものではない。
【００２７】
図２および図３は、本発明に関わる仕様管理方法を適用した仕様管理システムが適用される仕様情報一覧の形態を表す概念図である。各仕様情報一覧５０にはそれぞれ少なくとも１つの世代識別子５１が関連付けられて登録されており、それぞれの世代識別子５１には複数の項目識別子５２が登録されている。
【００２８】
各項目識別子５２には、特性値や各工程での処理装置の設定条件が登録された仕様項目５３が関連付けされている。これにより、ある仕様情報一覧５０のある世代の仕様情報を把握できる構成となる。
【００２９】
上述した仕様情報の構成により、例えば図２における仕様情報一覧Ａに属する世代識別子１と世代識別子２の間で、それぞれに含まれている項目識別子５２内の情報の差分の抽出を行うことができる。この差分抽出により、例えば処理工程端末５の表示画面上に、改訂があった仕様項目について、改訂前後の情報を並列表示したり、表示色を変えたり表示を点滅させたりして、視覚的に分かりやすく表示することができる。
【００３０】
次に、仕様項目が変更され、仕様情報一覧への反映がされるまでの例を図２〜３の概念図及び、図４に示すフローチャートで説明する。
【００３１】
仕様項目の改訂作業が生ずると、仕様情報改訂作業者は修正対象の項目識別子５４の選択（Ｓ１）を行う。
【００３２】
次に選択された項目識別子５４の仕様項目の複製（Ｓ２）が行われ、仕様項目の修正（Ｓ３）、および修正した仕様項目５５の登録（Ｓ４）を行う。それによって、修正した仕様項目５５に対して新規の項目識別子５６が登録（Ｓ５）される。必要な修正が未完了（Ｓ２０：Ｎｏ）の場合は続けてＳ１〜Ｓ５の作業を繰り返す。
【００３３】
全ての修正が完了（Ｓ２０：Ｙｅｓ）した場合には、次に演算部２では、各仕様情報一覧に属する最新の世代識別子のうち、修正対象として選択された項目識別子５４が含まれる世代識別子５７の取得（Ｓ６）が行われた後、世代識別子５７に属する全ての情報が複製（Ｓ７）され、修正対象となった項目識別子５４と修正後の項目識別子５６の差し替え（Ｓ８）がされた後、新規の世代識別子５８として登録（Ｓ９）が行われる。
【００３４】
本発明の仕様管理における仕様情報変更履歴管理方法によれば、各処理工程を通じて製造する製品の、その各項目での製品の規格情報および各工程内の装置設定情報などの仕様情報や、それらの仕様情報をまとめた仕様情報一覧の改訂作業を効率よく行う事が可能となり、改訂世代毎の仕様情報の管理作業も容易に行うことが可能となる。
【図面の簡単な説明】
【００３５】
【図１】本発明の実施例に係る仕様管理方法を適用した仕様情報変更履歴管理方法が適用される構成例を示す概念図。
【図２】仕様情報一覧の概略構成を示す概念図。
【図３】項目識別子の概略構成を示す概念図。
【図４】仕様項目の修正作業に伴う世代識別子の変更動作を示すフローチャート。
【符号の説明】
【００３６】
１・・・・仕様管理データベース
２・・・・演算部
５・・・・仕様情報確認端末
６・・・・仕様情報改訂作業端末
１０・・・通信ネットワーク
５０・・・仕様情報一覧
５１・・・世代識別子
５２・・・項目識別子
５３・・・仕様項目
５４・・・修正対象として選択された項目識別子
５５・・・修正作業後の仕様項目
５６・・・修正作業により新規に登録された項目識別子
５７・・・修正対象となった項目識別子を含む世代識別子
５８・・・修正作業により新規に登録された項目識別子を含む世代識別子
【図１】
2008181285.tif 000003
【図２】
2008181285.tif 000004
【図３】
2008181285.tif 000005
【図４】
2008181285.tif 000006